(57)【要約】      （修正有）【課題】ネクタイ着用時のネクタイ大剣の両角部及び、先端部のすり減りを防止することと、大剣のすり減った部分を隠すことと、本具のずれと脱落紛失を防止することと、本具の装着作業が簡単なことと、ファッション性の高いデザインとし、ネクタイ以外にも装着しやすいものとする。【解決手段】ネクタイのすり減りを防止したい部分及び、すり減った部分を本具で挟み込み、ネクタイ挟み表部材とネクタイ挟み裏部材を縫い合わせることで、その部分を覆い隠す。ずれ防止突起とずれ防止凹みでネクタイ挟み表部材とネクタイ挟み裏部材のずれを防止する。本具のさまざまな材質、デザイン、形状、色を準備することで誰でも装着しやすいものとする。特に本具を糸で縫い合わせて固定するため、制服などのネクタイに特に有効である。【選択図】図１
2012112076.tif 000002
【特許請求の範囲】
【請求項１】
ネクタイ挟み表部材とネクタイ挟み裏部材から構成され、
表糸通し穴と、一方の面に、表糸通し溝を備えたネクタイ挟み表部材と、
裏糸通し穴と、一方の面に、裏糸通し溝と、糸玉結び部隠し穴を備えたネクタイ挟み裏部材と、
を備えたネクタイ保護具及び保護具において、
ネクタイ挟み表部材とネクタイ挟み裏部材を糸で縫い合わせてネクタイを挟むことを特徴とするネクタイ保護具及び保護具。
【請求項２】
請求項１記載のネクタイ挟み表部材には、円錐または多角錐の凹みがあり、請求項１記載のネクタイ挟み裏部材には、円錐または多角錐の突起があることを特徴とする請求項１記載のネクタイ保護具。
【発明の詳細な説明】
【技術分野】
【０００１】
本発明は、例えば、ネクタイ大剣の擦り減りやすい部分を摩擦によるすり減りから保護する、また、ネクタイ大剣のすり減った部分を覆い隠し保護するためのネクタイ保護具及び保護具に関する。
【背景技術】
【０００２】
特許文献１は、ネクタイの結び目装飾具としてネクタイの結び目部分を保護する方法としてあるが、この方法は、結び目部分のみを保護するものであった。
【先行技術文献】
【特許文献】
【０００３】
【特許文献１】特開平１１−３５０２２１号公報
【発明の概要】
【発明が解決しようとする課題】
【０００４】
特許文献１では、ネクタイの結び目装飾具としてネクタイの結び目部分を保護する方法であって、ネクタイ大剣の大剣全体や両角部及び、先端部が、摩擦によりネクタイが擦り減ることについて保護できなかった。また、既に擦り減ってしまったネクタイ大剣の両角部及び、先端部を覆い隠すものはなかった。
【０００５】
ネクタイ大剣の両角部及び、先端部を擦り減りから、保護すること。
【０００６】
ネクタイ保護具及び保護具がネクタイ大剣の擦り減りから保護したい部分や両角部及び、先端部からずれることと、脱落及び、紛失を防止すること。
【０００７】
更に、上記要求を満し、アクセサリや装飾品として装着できる今までと異なる装飾品であること。
【０００８】
更に、上記要求を満し、どのようなネクタイにも装着できること。
【０００９】
更に、上記要求を満し、ネクタイ保護具及び保護具をネクタイに固定するために縫い付けた糸が目立たないこと。
【００１０】
更に、上記要求を満し、ネクタイ保護具及び保護具をネクタイに固定するために縫い付けた糸を止めた結び目が擦り減らないこと。
【００１１】
更に、上記要求を満し、ネクタイ保護具及び保護具をネクタイに固定するために縫い合わせ作業を行いやすいこと。
【００１２】
更に、上記要求を満たし、ネクタイ以外のものをすり減りから保護すること。また、既にすり減ってしまった部分を覆い隠すこと。
【課題を解決するための手段】
【００１３】
本発明は上記課題を達成するために、以下の構成を有している。以下は、ネクタイを例として説明する。
【００１４】
請求項１に記載のネクタイ保護具及び保護具は、
ネクタイ挟み表部材とネクタイ挟み裏部材から構成され、
一方の面に、表糸通し穴と、表糸通し溝を備えたネクタイ挟み表部材と、
一方の面に、裏糸通し穴と、裏糸通し溝と、糸玉結び部隠し穴を備えたネクタイ挟み裏部材と、
を備えたネクタイ保護具及び保護具において、
ネクタイ挟み表部材の一方の面とネクタイ挟み裏部材の一方の面でネクタイを挟み、ネクタイ挟み表部材とネクタイ挟み裏部材とネクタイを縫い合わせて固定することを特徴として構成されたものである。
【００１５】
請求項１記載に加えて、請求項１記載のネクタイ挟み表部材には、円錐または多角錐の凹みがあり、請求項１記載のネクタイ挟み裏部材には、円錐または多角錐の突起があることを特徴として構成されたものである。
【００１６】
ネクタイ保護具及び保護具の材質は、プラスチックの他、ゴムや金属や宝石や漆塗りなどで構成することが考えられる。
【００１７】
ネクタイ保護具及び保護具の糸玉結び部隠し穴の形状は、円柱や多角柱や円錐や多角錐で構成することが考えられる。
【００１８】
ネクタイ挟み表部材または、ネクタイ挟み裏部材は、様々な色、様々な形状、様々なサイズ、様々なデザインで構成することが考えられる。
【００１９】
ネクタイ挟み表部材のネクタイ挟み裏部材のずれ防止突起と向き合わない面、すなわちネクタイ保護具及び保護具装着時のネクタイ挟み表部材の表側となる面に、多種のデザインや多種の材質のものを装着し構成することが考えられる。
【発明の効果】
【００２０】
本発明によれば以下の効果を得ることができる。以下の効果は、ネクタイを例として説明する。
【００２１】
請求項１記載のネクタイ保護具及び保護具によれば、ネクタイ大剣のすり減りやすい部分、特に大剣の両角部及び、先端部をネクタイ大剣の表部とネクタイ大剣の裏部から挟み込むことでネクタイ大剣の両角部及び、先端部が、例えば、衣類や家具や皮膚などと直接擦れなくなり、ネクタイが摩擦によるすり減りから保護されることと、ネクタイ大剣のすり減った両角部及び、先端部を覆い隠すことができることで、ネクタイを長期間保護し、使用することが可能となる。
【００２２】
請求項１記載のネクタイ保護具及び保護具によれば、ネクタイ挟み表部材の表糸通し穴とネクタイ挟み裏部材の裏糸通し穴があることで、ネクタイ挟み表部材とネクタイ挟み裏部材でネクタイを挟んで縫い合わせてネクタイに固定することが可能となり、ネクタイ大剣の擦り減りやすい部分や両角部や先端部からずれたり、脱落したり紛失を防止することが可能となる。
【００２３】
請求項１記載のネクタイ保護具及び保護具によれば、表糸通し溝と、裏糸通し溝があることで、ネクタイに固定するために使用した糸が衣類や家具や皮膚などと直接擦れなくなり、糸の磨耗を防止することが可能となり、糸が磨耗しなくなることで、ネクタイ挟み表部材とネクタイ挟み裏部材の脱落を防止することが可能となる。
【００２４】
請求項２記載のネクタイ保護具及び保護具によれば、ネクタイ挟み表部材には、円錐または多角錐の凹みがあり、ネクタイ挟み裏部材には、円錐または多角錐の突起があることで、表糸通し穴の位置と裏糸通し穴の位置がずれなくなり、簡単にネクタイ保護具及び、保護具を縫い合わせることが可能となる。
【００２５】
ネクタイ保護具及び保護具の材質は、材質は軽量で、適度に弾力があり、コストが安く、加工がしやすいため基本的材質をプラスチック類とする。
【００２６】
更に、ネクタイ保護具及び保護具の材質は、その他、金属や宝石や七宝焼きや漆塗りを使うことで、今までと異なる装飾品とすることが可能となる。
【００２７】
更に、ネクタイ保護具及び保護具は、いろいろな大きさやいろいろな色やいろいろな材質やいろいろな形状やいろいろなデザインやいろいろなキャラクタのネクタイ保護具及び、保護具とすることで、どのようなネクタイにも装着することが可能となる。
【００２８】
更に、ネクタイ挟み表部材は、表糸通し溝があることで、縫い付けた糸が皮膚や家具や衣類と接触しなくなり、擦り減りを防止することが可能となる。
【００２９】
更に、ネクタイ挟み表部材は、表糸通し溝があることで、縫い付けた糸を表糸通し溝に隠し、縫いつけた糸を目立たなくすることが可能となる。
【００３０】
更に、ネクタイ挟み裏部材は、糸玉結び部隠し穴があることで、玉結びした糸が皮膚や家具や衣類と接触しなくなり、擦り減りを防止することが可能となる。
【００３１】
更に、ネクタイ挟み表部材の円錐または多角錐の凹みと、ネクタイ挟み裏部材の円錐または多角錐の突起があることで、縫い付け作業を行う場合に、向き合った表糸通し穴の位置と裏糸通し穴の位置がずれなくなり、簡単にネクタイ保護具及び、保護具を縫い合わせることが可能となる。
【００３２】
更に、ネクタイ挟み表部材は、円形や多角形や動物や植物や人気キャラクタや絵やブランド名などが描かれたものや、ドーム型や宝石のカットのような立体的な形状など種類を増やすことで、ネクタイ以外にも装着することが可能となる。
【図面の簡単な説明】
【００３３】
【図１】本発明のネクタイ保護具及び保護具の一例のネクタイ挟み表部材とネクタイ大剣とネクタイ挟み裏部材の基本的構成を示した斜視図である。
【図２】本発明のネクタイ保護具及び保護具の一例のネクタイ挟み表部材の基本的構成を示した正面図２と、正面図２のａ−ａ‘の断面図２ａ、正面図２のｂ−ｂ‘の断面図２ｂ，正面図２のｃ−ｃ‘の断面図２ｃ、正面図２のｄ−ｄ‘の断面図２ｄである。
【図３】本発明のネクタイ保護具及び保護具の一例のネクタイ挟み裏部材の基本的構成を示した正面図３、と正面図３のｅ−ｅ‘の断面図３ｅ、正面図３のｆ−ｆ‘の断面図３ｆ、正面図３のｇ−ｇ‘の断面図３ｇ、正面図３のｈ−ｈ‘の断面図３ｈである。
【図４】本発明のネクタイ保護具及び保護具の一例の使用状態の基本的構成を示した断面図である。
【図５】本発明のネクタイ保護具及び保護具の一例の使用状態の基本的構成を示した断面図である。
【図６】本発明のネクタイ保護具及び保護具の一例の使用状態の基本的構成を示した断面図である。
【図７】本発明のネクタイ保護具及び保護具の一例の使用状態の基本的構成を示した断面図である。
【図８】本発明のネクタイ保護具及び保護具の一例の使用状態の基本的構成を示した断面図である。
【図９】本発明のネクタイ保護具及び保護具の一例の使用状態の基本的構成を示した断面図である。
【図１０】本発明のネクタイ保護具及び保護具をネクタイ大剣部に装着した大剣部表側からの実施例の正面図である。
【図１１】本発明のネクタイ保護具及び保護具をネクタイ大剣部に装着した大剣部裏側からの実施例の正面図である。
【図１２】本発明のネクタイ保護具及び保護具をネクタイ大剣部に装着した実施例の側面図である。
【発明を実施するための形態】
【００３４】
本発明を実施するための形態として、ネクタイを例として説明する。
【００３５】
ネクタイ挟み表部材とネクタイ挟み裏部材から構成され、
表糸通し穴と、一方の面に、表糸通し溝を備えたネクタイ挟み表部材と、
裏糸通し穴と、一方の面に、裏糸通し溝と、糸玉結び部隠し穴を備えたネクタイ挟み裏部材と、
を備えたネクタイ保護具及び保護具において、
ネクタイ挟み表部材とネクタイ挟み裏部材を糸で縫い合わせてネクタイを挟み、ネクタイ大剣の特に両角部及び、先端部を保護するための具に関するものである。
【００３６】
請求項１記載のネクタイ挟み表部材には、円錐または多角錐の凹みがあり、請求項１記載のネクタイ挟み裏部材には、円錐または多角錐の突起があることを特徴とする。
【００３７】
本発明のネクタイ保護具及び、保護具の具体的な装着方法は、ネクタイ挟み表部材の一方の面にずれ防止凹みを備えたネクタイ挟み表部材のずれ防止凹み位置と、ネクタイ挟み裏部材の一方の面にずれ防止突起を備えたネクタイ挟み裏部材のずれ防止突起の位置を向き合わせて、ネクタイをネクタイ挟み表部材とネクタイ挟み裏部材の間に挟み、糸に玉結び部を作りネクタイ挟み裏部材の糸通し穴からネクタイを通してネクタイ挟み表部材の表糸通し穴に向けて糸を通過させ、表糸通し溝に糸を通し、ネクタイ挟み表部材の表糸通し穴から  ネクタイを通してネクタイ挟み裏部材の裏糸通し穴に向けて糸を通過させ、糸玉結び部隠し穴の付近で玉結び部を作ることで、装着ができる。
【００３８】
前記ネクタイ挟み表部材の表糸通し穴の大きさは、糸及び縫い針は通すが、糸玉結び部を通さない穴の径と、
前記ネクタイ挟み表部材の表糸通し溝の大きさは、糸が通り、糸が隠れる程度の溝の深さと幅と、
前記ネクタイ挟み裏部材の裏糸通し穴の大きさは、糸及び縫い針は通すが、糸玉結び部を通さない穴の径と、
前記ネクタイ挟み裏部材の裏糸通し溝の大きさは、糸が通り、糸が隠れる程度の溝の深さと幅と、
前記ネクタイ挟み裏部材の糸玉結び部隠し穴の大きさは、糸玉結び部が隠れる程度の深さと径であることを特徴とする。
【００３９】
本発明のネクタイ保護具及び保護具におけるずれ防止突起とずれ防止凹みは、ネクタイとネクタイ保護具及び保護具がずれないことと、ネクタイ挟み表部材とネクタイ挟み裏部材がずれないことを特徴とする。
【００４０】
本発明のネクタイ保護具及び保護具は、ネクタイ以外の擦れを防止したいものや擦れを覆い隠したいものに対しても装着可能なことを特徴とする。
【００４１】
図１で示すように、本発明のネクタイ保護具及び保護具の一例の基本的構成を示した斜視図である。本発明のネクタイ保護具及び保護具の使用状態の一例で、縫い糸１６で第一の玉結び部１７を作り、縫い糸１６がネクタイ挟み裏部材２の第一の裏糸通し穴６とネクタイ１５とネクタイ挟み表部材１の第一の表糸通し穴３を通過し、ネクタイ挟み表部材１の表糸通し溝４を通り、折り返してネクタイ挟み表部材１の第二の表糸通し穴３とネクタイ１５とネクタイ挟み裏部材２の第二の裏糸通し穴６を通過して、第二の結び目１７までの縫い糸の通過経路と本具の基本的構成を示した斜視図である。縫い針は、図が交錯するため省いて記載している。
【００４２】
図２の２で示すように、本発明のネクタイ挟み表部材１を示した正面図である。表糸通し穴３が２つと、２つの表糸通し穴３の間に表糸通し溝４と、ずれ防止凹み５が２つある構成をしている。
図２の２ａは、ネクタイ挟み表部材１の正面図を切断線ａ−ａ‘で切断し、イ方向からの断面図である。すなわち、表糸通し穴３と、表糸通し溝４と、ずれ防止凹み５が一線上に並ぶ部分で切断した断面図である。ネクタイ挟み表部材１に表糸通し穴３が２つと、２つの表糸通し穴３の間に表糸通し溝４と、ずれ防止凹み５が２つある構成をしている。
図２の２ｂは、ネクタイ挟み表部材１の正面図を切断線ｂ−ｂ‘で切断し、ロ方向からの断面図である。すなわち、ずれ防止凹み５の部分で切断した断面図である。ネクタイ挟み表部材１にずれ防止凹み５がある構成をしている。
図２の２ｃは、ネクタイ挟み表部材１の正面図を切断線ｃ−ｃ‘で切断し、ハ方向からの断面図である。すなわち、表糸通し穴３の部分で切断した断面図である。ネクタイ挟み表部材１に表糸通し穴３と、表糸通し溝４がある構成をしている。
図２の２ｄは、ネクタイ挟み表部材１の正面図を切断線ｄ−ｄ‘で切断し、ニ方向からの断面図である。すなわち、表糸通し溝４の部分で切断した断面図である。ネクタイ挟み表部材１に表糸通し溝４がある構成をしている。
【００４３】
図３の３で示すように、本発明のネクタイ挟み裏部材２を示した正面図である。裏糸通し穴６が２つと、糸玉結び部隠し穴８が２つと、２つの裏糸通し穴６の間に裏糸通し溝７と、ずれ防止突起９が２つある構成をしている。
図３の３ｅは、ネクタイ挟み裏部材２の正面図を切断線ｅ−ｅ‘で切断し、ホ方向からの断面図である。すなわち、裏糸通し穴６と、裏糸通し溝７と、糸玉結び部隠し穴８と、ずれ防止突起９が一線上に並ぶ部分で切断した断面図である。ネクタイ挟み裏部材２に裏糸通し穴６が２つと、２つの裏糸通し穴６の間に裏糸通し溝７と、ネクタイ挟み裏部材２にずれ防止突起９が２つある構成をしている。
図３の３ｆは、ネクタイ挟み裏部材２の正面図を切断線ｆ−ｆ‘で切断し、ヘ方向からの断面図である。すなわち、裏糸通し溝７の部分で切断した断面図である。ネクタイ挟み裏部材２に裏糸通し溝７がある構成をしている。
図３の３ｇは、ネクタイ挟み裏部材２の正面図を切断線ｇ−ｇ‘で切断し、ト方向からの断面図である。すなわち、裏糸通し穴６と糸玉結び隠し穴８の部分で切断した断面図である。ネクタイ挟み裏部材２に裏糸通し穴６と、糸玉結び隠し穴８と、裏糸通し溝７がある構成をしている。
図３の３ｈは、ネクタイ挟み裏部材２の正面図を切断線ｈ−ｈ‘で切断し、チ方向からの断面図である。すなわち、ずれ防止突起９の部分で切断した断面図である。ネクタイ挟み裏部材２にずれ防止突起９がある構成をしている。
【００４４】
図４で示すように、本発明のネクタイ保護具及び保護具の一例の基本的構成のネクタイ大剣部１５への固定作業の手順を示した断面図１である。縫い糸１６で第一の玉結び部１７を作り、縫い糸１６がネクタイ挟み裏部材２の第一の裏糸通し穴６とネクタイ１５とネクタイ挟み表部材１の第一の表糸通し穴３を通過した状態である。縫い針は、図が交錯するため省いて記載している構成をしている。
【００４５】
図５で示すように、本発明のネクタイ保護具及び保護具の一例の基本的構成のネクタイ大剣部１５への固定作業の手順を示した断面図２である。図4に加えて、縫い糸１６を第一の玉結び部１７と反対方向に引くことで、ネクタイ挟み裏部材２のずれ防止突起９がネクタイ１５に食い込み、更に、ネクタイ大剣部１５がネクタイ挟み表部材１のずれ防止凹み５に食い込んだ状態を表している。縫い針は、図が交錯するため省いて記載している。
【００４６】
図６で示すように、本発明のネクタイ保護具及び保護具の一例の基本的構成のネクタイ大剣部１５への固定作業の手順を示した断面図３である。図５に加えて、縫い糸１６が折り返した状態を表している。縫い針は、図が交錯するため省いて記載している。
【００４７】
図７で示すように、本発明のネクタイ保護具及び保護具の一例の基本的構成のネクタイ大剣部１５への固定作業の手順を示した断面図４である。図６に加えて、折り返した縫い糸１６がネクタイ挟み表部材１の第二の表糸通し穴３とネクタイ１５とネクタイ挟み裏部材２の第二の裏糸通し穴６を通過した状態を表している。縫い針は、図が交錯するため省いて記載している。
【００４８】
図８で示すように、本発明のネクタイ保護具及び保護具の一例の基本的構成のネクタイ大剣部１５への固定作業の手順を示した断面図５である。図７に加えて、折り返した縫い糸１６をネクタイ挟み裏部材２の方向へ引いた状態を表している。縫い針は、図が交錯するため省いて記載している。
【００４９】
図９で示すように、本発明のネクタイ保護具及び保護具の一例の基本的構成のネクタイ大剣部１５への固定作業の手順を示した断面図６である。図８に加えて、縫い糸１６で第二の玉結び部１７をつくり、糸玉結び部隠し穴８に第二の玉結び部１７を格納した状態を表している。縫い針は、図が交錯するため省いて記載している。
【００５０】
図１０で示すように、本発明のネクタイ保護具及び保護具の一例の構成を示したネクタイ大剣１５の表側からの正面図である。ネクタイ大剣１５の先端部とネクタイ大剣１５の両角部にネクタイ保護具及び保護具を装着した実施例である。ネクタイ挟み表部材１がネクタイ大剣１５の先端部とネクタイ大剣１５の両角部に装着した状態を表している。ネクタイ保護具及び保護具の個数は、特定しない。
【００５１】
図１１で示すように、本発明のネクタイ保護具及び保護具の一例の構成を示したネクタイ大剣１５の裏側からの正面図である。小剣通し１８があることでネクタイ大剣１５の裏側であることがわかる。ネクタイ大剣１５の先端部とネクタイ大剣１５の両角部にネクタイ保護具及び保護具を装着した実施例である。ネクタイ挟み裏部材２がネクタイ大剣１５の擦り減りやすい部分と先端部とネクタイ大剣１５の両角部に装着した状態を表している。ネクタイ保護具及び保護具の個数は、特定しない。
【００５２】
図１２で示すように、本発明のネクタイ保護具及び保護具の一例の構成を示した側面図である。ネクタイ大剣の表側、すなわち、小剣通しのない側にネクタイ挟み表部材１がある、小剣通しのある側にネクタイ挟み裏部材２がある構成をしている。
【００５３】
本発明のネクタイ保護具及び保護具の材質は、重さが軽く、適度に弾力があり、コストが安く、加工がしやすいためプラスチック類を基本とするが、弾力のある材質のものでも良い。
【００５４】
本発明のずれ防止突起の断面の形状は、ずれ防止突起の断面が円錐だけでなく、多角錐などでも良い。
【００５５】
本発明のずれ防止突起の個数は、０個以上複数でも、ずれ防止凹みの個数と合っていれば良い。
【００５６】
本発明のずれ防止凹みの断面の形状は、ずれ防止凹みの断面が円錐だけでなく、多角錐などでも良い。
【００５７】
本発明のずれ防止凹みの個数は、０個以上複数でも、ずれ防止突起の個数と合っていれば良い。
【その他の形態】
【００５８】
本発明のネクタイ保護具及び保護具の材質は、プラスチック類が良いが、金属や宝石や七宝焼きや漆塗りなどでも良い。
【００５９】
本発明のネクタイ保護具及び保護具の色は、例えば、有色や透明や半透明などでも良い。
【００６０】
本発明のネクタイ保護具及び保護具は、装着する場所によって形状を変えても良い。
【００６１】
本発明のネクタイ挟み表部材の形状及びデザインは、例えば、円形や多角形や動物や植物や人気キャラクタや絵やブランド名などが描かれたものや、ドーム型や宝石のカットのような立体的な形状でも良い。
【００６２】
本発明のネクタイ挟み表部材のずれ防止凹みのない面、すなわちネクタイ保護具及び保護具の装着時の表側の面に金属や宝石や七宝焼きや漆塗りなどを装着しても良い。
【００６３】
本発明のネクタイ保護具及び保護具は、ネクタイの大剣の両角部、先端部への使用にとらわれず、ネクタイ以外の擦れを防止したいものや擦れを覆い隠したいものなどに装着しても良い。
【００６４】
本発明のネクタイ保護具及び保護具は、ネクタイ挟み表部材とネクタイ挟み裏部材は、それぞれ別々のデザイン形状としても良い。
【００６５】
本発明のネクタイ保護具及び保護具は、ネクタイ挟み表部材のみの使用としても良い。
【符号の説明】
【００６６】
１      ネクタイ挟み表部材
２      ネクタイ挟み裏部材
３      表糸通し穴
４      表糸通し溝
５      ずれ防止凹み
６      裏糸通し穴
７      裏糸通し溝
８      糸玉結び部隠し穴
９      ずれ防止突起
１５    ネクタイ大剣部
１６    縫い糸
１７    糸玉結び部
１８    小剣通し
ａ−ａ’切断線
ｂ−ｂ’切断線
ｃ−ｃ’切断線
ｄ−ｄ’切断線
ｅ−ｅ’切断線
ｆ−ｆ’切断線
ｇ−ｇ’切断線
ｈ−ｈ’切断線
イ      ネクタイ挟み表部材からの矢印
ロ      ネクタイ挟み表部材からの矢印
ハ      ネクタイ挟み表部材からの矢印
ニ      ネクタイ挟み表部材からの矢印
ホ      ネクタイ挟み裏部材からの矢印
へ      ネクタイ挟み裏部材からの矢印
ト      ネクタイ挟み裏部材からの矢印
チ      ネクタイ挟み裏部材からの矢印
【図１】
2012112076.tif 000003
【図２】
2012112076.tif 000004
【図３】
2012112076.tif 000005
【図４】
2012112076.tif 000006
【図５】
2012112076.tif 000007
【図６】
2012112076.tif 000008
【図７】
2012112076.tif 000009
【図８】
2012112076.tif 000010
【図９】
2012112076.tif 000011
【図１０】
2012112076.tif 000012
【図１１】
2012112076.tif 000013
【図１２】
2012112076.tif 000014